(57)【要約】      （修正有）【課題】二個の変形クランプによる小物入れ器を提供する。【解決手段】Ｌ型クランプを変形さした形で、Ｌ型の最上部の横板は対象物の面が多くあたるように平たくしておき、それを支える縦の中心となる支柱をメイン支柱１として、その径の形状は長方形や楕円形であり、メイン支柱の上部より下へ２０ｃｍまでの位置に板状のアーム７を最上部の横板と同じ方向と長さに配置して、その板状のアームのメイン支柱側の形は支柱が入るように長方形や楕円形の穴を開けた形にして、支柱に入れ込んで上下するようにしておき、更に、もう一方の端はハンドル付きのネジの縦棒が入るように丸形の穴を開けておいて、穴の内部は凹部状のネジを切っておき、下部にハンドルを付けた凸型状のネジ棒を入れ込み、対象物に当たるネジの上部は丸や四角の当て材１２を付けておき、ハンドルを巻くことにより、ネジが上下して対象物を固定する。【選択図】図１
0003218956.tif 000002
【実用新案登録請求の範囲】
【請求項１】
二個のクランプを並列さして、机、食卓の天板に取り付けておき、クランプをワンタッチパワークランプの状のようにメイン支柱の下の部分を長くして、支柱にアームがくる部分より下の形状は平たい形状にして、その平たい形状の前面に丸形、四〜八角形のビス、ボルト型の頭形の突起物を一定間隔に付けておき、支柱に穴を開けておき、その穴へ芯棒を通して、その芯棒の表裏、両サイドにはビス、ボルトの頭状の形状を付けておき、穴の中の芯棒は少し遊びがある長さと太さにしておくことにより、箱の裏面が当ってきても、箱の傾きが少なくてすむ、一方、二個のメイン支柱の間と同じ長さ、又は、大きい幅の長さにした箱を用意して、その箱の裏面の両サイド、又は、全面に突起物が入るような大きさの鍵穴の形状で、丸形の穴の上の台形の形を小さい長方形の形にした穴やひょうたんの形状で、丸形の穴の上に小さい丸形の穴をあけておいた器具を付けておいたり、箱の裏面の両サイド、又は、全面に直接にあけておいたりして、二個の並列にしたメイン支柱に一定の間隔に取り付けた突起物を付けておき、その突起物を箱の裏面の上部の両サイド、又は、全面に、横に１〜数個、縦に数重に、数個、上下の穴が互い違いになるように配置しておいた鍵穴形状やひょうたん形状の穴に入れることにより、少々の幅の違いやずれでも箱を取りつけることができ、その突起物を上下、数段に付けておいたことにより、箱の高さを上下することができて、箱の中へ薬瓶、ペットボトル、メガネ、スマートホンや筆記用具などを入れることができるので、高齢者や身体障碍者だけでなく一般の人々にも、机や食卓に座っている手元に近い位置にあるので、必要なものが便利に活用できることを特徴とする、二個の変形クランプによる小物入れ器。
【請求項２】
二個のクランプを並列さして、机、食卓の天板に取り付けておき、クランプをワンタッチパワークランプ状のようにメイン支柱の下の部分を長くして、支柱にアームがくる部分より下の形状は平たい形状にして、その平たい形状の前面に丸形、四〜八角形のビス、ボルト型の頭形の突起物を一定間隔に付けておき、支柱に穴を開けておき、その穴へ芯棒を通して、その芯棒の表裏、両サイドにはビス、ボルトの頭状の形状を付けておき、穴の中の芯棒は少し遊びがある長さと太さにしておくことにより、箱の裏面が当ってきても、箱の傾きが少なくてすむ。一方、二個のメイン支柱の間と同じ長さ、又は、大きい幅の長さにした箱を用意して、その箱の裏面の両サイド、又は、全面に突起物が入るような大きさの鍵穴の形状で、丸形の穴の上の台形の形を小さい長方形の形にした穴やひょうたんの形状で、丸形の穴の上に小さい丸形の穴をあけておいた器具を付けておいたり、箱の裏面の両サイド、又は、全面に直接にあけておいたりして、二個の並列にしたメイン支柱に一定の間隔に取りつけた突起物を付けておき、その突起物を箱の裏面の上部の両サイド、又は、全面に、横に１〜数個、縦に数重に、数個、上下の穴が互い違いになるように配置しておいた鍵穴形状やひょうたん形状の穴に入れることにより、少々の幅の違いのずれでも箱を取りつけることができ、その突起物を上下、数段に付けておいたことにより、箱の高さを上下することができて、箱の中へ薬瓶、ペットボトル、メガネ、スマートホンや筆記用具などを入れることができるので、高齢者や身体障碍者だけでなく一般の人々にも、机や食卓に座っている手元に近い位置にあるので、必要なものが便利に活用できることと、更に、箱の上辺を波形にして、波型の形の下へ穴をあけておくことにより、袋をかけたり、フック付きの箱や袋を掛けることができることを特徴とする、二個の変形クランプによる小物入れ器。
【請求項３】
二個のクランプを並列さして、机、食卓の天板に取り付けておき、クランプをワンタッチパワークランプ状のようにメイン支柱の下の部分を長くして、支柱にアームがくる部分より下の形状は平たい形状にして、その平たい形状の前面に丸形、四〜八角形のビス、ボルト型の頭形の突起物を一定間隔に付けておき、支柱に穴を開けておき、その穴へ芯棒を通して、その芯棒の表裏、両サイドにはビス、ボルトの頭状の形状を付けておき、穴の中の芯棒は少し遊びがある長さと太さにしておくことにより、箱の裏面が当ってきても、箱の傾きが少なくてすむ、一方、二個のメイン支柱の間と同じ長さ、又は、大きい幅の長さにした箱を用意して、その箱の裏面の両サイド、又は、全面に突起物が入るような大きさの鍵穴の形状で、丸形の穴の上の台形の形を小さい長方形の形にした穴やひょうたんの形状で、丸形の穴の上に小さい丸形の穴をあけておいた器具を付けておいたり、箱の裏面の両サイド、又は、全面に直接にあけておいたりして、二個の並列にしたメイン支柱に一定の間隔に取りつけた突起物を付けておき、その突起物を箱の裏面の上部の両サイド、又は、全面に、横に１〜数個、縦に数重に、数個、上下の穴が互い違いになるように配置しておいた鍵穴形状やひょうたん形状の穴に入れることにより、少々の幅の違いのずれでも箱を取りつけることができ、その突起物を上下、数段に付けておいたことにより、箱の高さを上下することができて、箱の中へ薬瓶、ペットボトル、メガネ、スマートホンや筆記用具などを入れることができるので、高齢者や身体障碍者だけでなく一般の人々にも、机や食卓に座っている手元に近い位置にあるので、必要なものが便利に活用できることと、更に、クランプのメイン支柱を天板の内側に曲げて入れる形にしておくことにより、箱が机や食卓の天板の内側入って、邪魔にならないことを特徴とする、二個の変形クランプによる小物入れ器。
【考案の詳細な説明】
【技術分野】
【０００１】  二個の変形クランプを机、食卓の天板やカウンターに取り付けて、クランプの支柱に小物入れの箱を付けることに関することである。
【背景技術】
【０００２】  クランプを小物入れにしたものは存在しない。
【先行技術】
【０００３】
【考案の概要】
【０００４】  二個のＬ型クランプを並列にして、机、食卓の天板に取り付けておき、ワンタッチパワークランプ状のようにメイン支柱を長くして、キャップを支えるアームがかかる部分より下の形状は横へ幅のある平たい形状にして、その支柱の前面に、丸形、四〜八角形のビスやボルトの頭の形をした突起物を縦に、数個付けておく。一方、二個のメイン支柱の間の幅の長さと同じ、又は長い長さの幅にした箱を用意して、箱の裏面の上部の両サイド、又は全面に、横に１〜数個、縦に数重に、数個、穴をあけておく。その穴は上下に互い違いに配置しておき、その穴の形は突起物が入るように鍵穴の形状や、ひょうたんの形状の穴を開けた器具を取り付けたり、箱の裏に開けておいたりしておき、その穴に突起物を入れることにより、箱を上下、左右にずれがあっても取りつけることができる。箱の上辺の形状を波形やその下に穴を開けておくことにより、袋やヒモ付きの袋をぶら下げることができる。また、支柱を下へ長くして、机、食卓の天板の下の内側に曲げておくことにより、天板の下の中へ入れることができて邪魔にならない。箱の中へは薬瓶、ペットボトル、メガネ、スマートホンや筆記用具などを入れることができるので、高齢者や身体障害者だけでなく、一般の人々にとっても、座っている手元の近くに必要のものがあるので、大変に便利に活用できることを特徴とする、二個の変形クランプによる小物入れ器。
【考案が解決しようとする課題】
【０００５】  厚みが違う机や食卓の天板やカウンターに簡単に固定することができて、手元の近くにある箱があれば、その箱へいろいろなもの、たとえばメガネ、薬瓶、ペットボトル、スマートホンや筆記用具などを収納しておくことができたら、必要な時に活用できるので大変に助かり便利である。
【考案が解決するための手段】
【０００６】  二個の並列したクランプを机、食卓の天板に取り付けておき、ワンタッチパワークランプ状のようにメイン支柱を長くして、アーム部分より下部の形状は横へ幅のある平たい形状にしておく。その部分のメイン支柱に一定間隔に上下にビス、ボルトの頭の形の突起物を付けておき、箱は二個のメイン支柱の間の幅の長さや大きい目の幅の長さの箱にして、箱の上部の裏面の両サイド、又は、全面には鍵穴式で丸状の穴の上に小さい長方形の形の穴やひょうたん形で丸状の穴の上に小さな丸の穴をあけた器具をつける。又は、箱の裏面の両サイド、又は、全面にあけておくことにより、クランプの突起物を鍵穴式やひょうたん式の穴へ入れることができる。二個のメイン支柱を平行にしておき、突起物と穴を同じ高さにしておくことにより、安定した形で箱を付けることができる。その箱の裏面の上部の両サイド、又は、全面には横に１〜数個、縦に数重に、数個を配置しておき、その穴の配置は上下、互い違いにしておく。それにより縦、横の少々のずれがあっても穴に入れることができる。また、突起物と穴の位置が１〜数個、上下にあるために、自由に箱を上下さすことができる。更に、突起物は支柱に穴を開けておき、その穴の芯棒を通して、その芯棒の表裏、両サイドにはビス、ボルト状の頭状の形を付けておき、穴の中の芯棒は少し遊びのある長さと太さにしておくことにより、箱の裏面がきても内、裏側に動き、頭分だけの厚みになることにより、箱の傾きを少なくする。材質は、支柱部は鋳鉄、カーボンスチール、ニッケルメッキ、プラスチックでつくり、グリップは木製又はプラスチック製である。当て材やキャップ材はゴム、シリコン、プラスチック、布製にする。形状はワンタッチパワークランプの形にして、メイン支柱を長くしておく。更に、メイン支柱を机、食卓の天板の下の内側へ曲げることにより、机、食卓、カウンターの厚みにも対応して、箱を天板の下の内側へ入れ込むことができて、箱の中へは薬瓶、ペットボトル、メガネ、スマートホンや筆記尾用具などを入れて、座っている手元の近くにあるので、すぐに必要な時に使用できることを特徴とする、二個の変形クランプによる小物入れ器。
【考案の効果】
【０００７】  簡単に机、食卓の天板やカウンターに取りつけることができて、重たい調味料、薬瓶、ペットボトル、スマートホンや筆記用具を入れておいても可能であり、座っている手元の近くにあるので、箱に入れたものをすぐに使用できるので、高齢者や身体障碍者にとっては大変に便利な器具となる。
【図面の簡単な説明】
【０００８】
【図１】正面図  （１）左  （２）右
【図２】側面図  （１）前  （２）後
【図３】上からの図
【図４】斜め図
【図５】箱を天板に取り付けた図
【図６】箱を天板の下の内側に入れた図
【図７】鍵穴状を変更した穴とひょうたん状の穴
【図８】箱の上辺を波形にして穴を開けた図といろいろなものを入れた図
【図９】箱の裏面の穴、（１）鍵穴式の穴  （２）ひょうたん式の穴
【図１０】支柱に付けた突起物の図、（１）正面図  （２）側面図  （３）上からの図
【符号の説明】
【０００９】▲１▼  クランプのメイン支柱
▲２▼  クランプの天板に当てる部分
▲３▼  クランプのアームより下の平たい形状の支柱の部分
▲４▼  クランプのネジ部分
▲５▼  クランプのグリップエンド
▲６▼  クランプのキャップ部分
▲７▼  クランプのアーム部分
▲８▼  箱
▲９▼  芯棒
▲１０▼  ビスやボルトの頭状の突起物
▲１１▼  机、食卓の天板
▲１２▼  シリコン、ゴム、プラスチック、布製の当て材
▲１３▼  薬瓶、ペットボトル
▲１４▼  筆記用具
▲１５▼  鍵穴状の形にして、上が小さい長方形の穴
▲１６▼  ひょうたん状の形にした穴
▲１７▼  机、食卓の天板の下の内側に曲げる支柱の部分
▲１８▼  箱の裏面につける、穴あき接続器具
▲１９▼  ビス、ボルトの頭
▲２０▼  穴
▲２１▼  波形
【考案を実施するための形態】
【００１０】  次の順序で実施する。
１、二個のクランプの先端を開けて、机、食卓の天板やカウンターに一個を固定して、も    う一個は仮止めをしておく。この時、箱の幅の長さより小さい幅の長さにして設置す    る形にする。
２、縦のメイン支柱のビス、ボルトの頭状の突起物を箱に付けた鍵穴状の形の穴やひょう    たん状の形の穴にあけた器具に入れて、取りつける。又は、箱の裏側の両サイドに鍵    穴状の形の穴やひょうたん状の形の穴を直接にあけた箱の穴に入れて取り付ける。こ    の時、箱が平行になるように注意する。
３、もう一方のクランプを固定する。
４、箱の上下、水平を確認する。位置がずれておれば、取付けなおす。
５、箱の中へ薬瓶、サプリメント、ペットボトル、スマートホン、調味料や筆記用具など    を入れる、そして使用する。
６、箱の上辺は波形や穴を開けてあるので袋やフック付きのいろいろな袋や箱をかけてお    く。
【産業上の利用可能性】
【００１１】  いろいろな厚みの天板やカウンターに簡単に取付けが可能であり、水の入った重たいものを入れても、かけておいてもずり落ちしない箱であり、また、薬瓶、ペットボトル、調味料、スマートホンや筆記用具などを入れておいても可能であり、高齢者や身体障碍者だけでなく、一般の人々にとっても、飲みたいものが、使いたいものが手元の近くにあるので、あまり動かなくて、簡単に素早く使用できるので、ストレスのない快適生活を送ることに貢献する。
【図１】
0003218956.tif 000003
【図２】
0003218956.tif 000004
【図３】
0003218956.tif 000005
【図４】
0003218956.tif 000006
【図５】
0003218956.tif 000007
【図６】
0003218956.tif 000008
【図７】
0003218956.tif 000009
【図８】
0003218956.tif 000010
【図９】
0003218956.tif 000011
【図１０】
0003218956.tif 000012
【手続補正書】
【提出日】平成30年7月2日(2018.7.2)
【手続補正１】
【補正対象書類名】実用新案登録請求の範囲
【補正対象項目名】全文
【補正方法】変更
【補正の内容】
【実用新案登録請求の範囲】
【請求項１】
クランプとは可動式のハンドルを回すだけでいろいろな対象物を簡単に固定できる器具であり、本考案はそのクランプのＦ型（Ｌ型）を変形さした形で、Ｆ型の最上部の横棒（横板）は対象物の面が多くあたるように平たくしておき、それを支える縦の中心となる支柱をメイン支柱として、その径の形状は長方形や楕円形であり、メイン支柱の上部より下へ２０ｃｍまでの位置に横棒（横板）（アーム）を最上部の横棒（横板）と同じ方向と長さに配置して、そのアームのメイン支柱側の形は支柱が入るように長方形や楕円形の穴を開けた形にして、支柱に入れ込んで上下するようにしておき、更に、もう一方の端はハンドル付きのネジの縦棒が入るように丸形の穴を開けておいて、穴の内部は凹部状のネジを切っておき、下部にハンドルを付けた凸型状のネジ棒を入れ込み、対象物に当たるネジの上部は丸や四角の当て材を付けておき、ハンドルを巻くことにより、ネジが上下して対象物を固定する器具であり、本考案はそのＦ型クランプを変形さした形であり、二個のＦ型クランプを並列させて、机、食卓の天板に取り付けておき、そのクランプのメイン支柱の上部より下へ１５〜２０ｃｍの位置に横棒（横板）（アーム）がくる部分の下の支柱の形状は長方形や楕円形の形を９０度回転さした形で、クランプを取りつける机、食卓の天板に向かって平たい形状にしておき、長さを下へ長く伸ばしておいて、その平たい形状の支柱の前面に丸形、四〜八角形のビス、ボルト型の薄い厚みの頭型の突起物を一定間隔に数個付けておき、一方、二個のクランプのメイン支柱の間と同じ長さ、又は、大きい幅の長さにした箱を用意して、その箱の裏面の上部の両サイド、又は、裏面に横へ、１〜数個、縦に数重に、数個、上下の穴が互い違いになるように配置しておいた、鍵穴形状やひょうたん形状の穴をあけた器具を箱の裏面に取り付けたり、箱の裏面に開けておいたりしておくことにより、突起物が穴に入ることにより、少々の幅の違いやずれがあっても箱を取りつけることができて、その突起物を上下に数個付けておいたことにより、箱の高さを上下に調整することができて、箱の中へ薬瓶、ペットボトル、メガネ、スマートホンや筆記用具などを入れることができるので、高齢者や身体障碍者だけでなく一般の人々にも、座っている手元に近い位置にあるので、必要なものが便利に活用できることを特徴とする、二個の変形クランプによる小物入れ器。
【請求項２】
クランプとは可動式のハンドルを回すだけでいろいろな対象物を簡単に固定できる器具であり、本考案はそのクランプのＦ型、Ｌ型を変形さした形で、Ｆ型の最上部の横棒（横板）は対象物の面が多くあたるように平たくしておき、それを支える縦の中心となる支柱をメイン支柱として、その径の形状は長方形や楕円形であり、メイン支柱の上部より下へ２０ｃｍまでの位置に横棒（横板）（アーム）を最上部の横棒（横板』と同じ方向と長さに配置して、そのアームのメイン支柱側の形は支柱が入るように長方形や楕円形の穴を開けた形にして、支柱に入れ込んで上下するようにしておき、更に、もう一方の端はハンドル付きのネジの縦棒が入るように丸形の穴を開けておいて、穴の内部は凹部状のネジを切っておき、下部にハンドルを付けた凸部状のネジ棒を入れ込み、対象物に当たるネジの上部は丸や四角の当て材を付けておき、ハンドルを巻くことにより、ネジが上下して対象物を固定する器具であり、本考案はそのＦ型クランプを変形さした形であり、二個のＦ型クランプを並列させて、机、食卓の天板に取り付けておき、そのクランプのメイン支柱の上部より下へ１５〜２０ｃｍの位置に横棒（横板）（アーム）がくる部分の下の支柱の形状は長方形や楕円形の形を９０度回転させた形で、クランプを取りつける机、食卓の天板に向かって平たい形状にしておき、長さを下へ長く伸ばしておいて、その平たい形状の支柱の前面に丸形、四〜八角形のビス、ボルト型の薄い厚みの頭型の突起物を一定間隔に数個付けておき、一方、二個のクランプのメイン支柱の間と同じ長さ、又は、大きい幅の長さにした箱を用意して、その箱の裏面の上部の両サイド、又は、裏面に横へ、１〜数個、縦に数重に、数個、上下の穴が互い違いになるように配置しておいた、鍵穴形状やひょうたん形状の穴を開けた器具を箱の裏面に取り付けたり、箱の裏面に開けておいたりしておくことにより、突起物が穴に入ることにより、少々の幅の違いやずれがあっても箱を取りつけることができて、その突起物を上下に数個付けておいたことにより、箱の高さを上下に調整することができて、箱の中へ薬瓶、ペットボトル、メガネ、スマートホンや筆記用具などを入れることができるので、高齢者や身体障碍者だけでなく一般の人々にも、座っている手元に近い位置にあるので、必要なものが便利に活用できることと、更に、箱の上辺を波形にして、波形に下に穴を開けておくことにより、袋をかけたり、フック付きの箱や袋を掛けることができることを特徴とする、二個の変形クランプによる小物入れ器。
【請求項３】
クランプとは可動式のハンドルを回すだけでいろいろな対象物を簡単に固定できる器具であり、本考案はそのクランプのＦ型、Ｌ型を変形さした形で、Ｆ型の最上部の横棒（横板）は対象物の面が多く当たるように平たくしておき、それを支える縦の中心となる支柱をメイン支柱として、その径の形状は長方形や楕円形であり、メイン支柱の上部より下へ２０ｃｍまでの位置に横棒（横板）（アーム）を最上部の横棒（横板）と同じ方向と長さに配置して、そのアームのメイン支柱側の形は支柱が入るように長方形や楕円形の穴を開けた形にして、支柱に入れ込んで上下するようにしておき、更に、もう一方の端はハンドル付きのネジの縦棒が入るように丸形の穴を開けておいて、穴の内部は凹部状のネジを切っておき、下部にハンドルを付けた凸部状のネジ棒を入れ込み、対象物に当たるネジの上部は丸や四角の当て材を付けておき、ハンドルを巻くことにより、ネジが上下して対象物を固定する器具であり、本考案はそのＦ型クランプを変形さした形であり、二個のＦ型クランプを並列させて、机、食卓の天板に取り付けておき、そのクランプのメイン支柱の上部より下へ１５〜２０ｃｍの位置に横棒（横板）（アーム）がくる部分の下の支柱の形状は長方形や楕円形の形を９０度回転さした形で、クランプを取りつける机、食卓の天板に向かって平たい形状にしておき、長さを下へ長く伸ばしておいて、その平たい形状の支柱の前面に丸形、四〜八角形のビス、ボルト型の薄い厚みの頭型の突起物を一定間隔に数個付けておき、一方、二個のクランプのメイン支柱の間と同じ長さ、又は、大きい幅の長さにした箱を用意して、その箱の裏面の上部の両サイド、又は、裏面に横へ、１〜数個、縦に数重に、数個、上下の穴が互い違いになるように配置しておいた、鍵穴形状やひょうたん形状の穴をあけた器具を箱の裏面に取り付けたり、箱の裏面に開けておいたりしておくことにより、突起物が穴に入ることにより、少々の幅の違いやずれがあっても箱を取りつけることができて、その突起物を上下に数個付けておいたことにより、箱の高さを上下に調整することができて、箱の中へ薬瓶、ペットボトル、メガネ、スマートホンや筆記用具などを入れることができるので、高齢者や身体障碍者だけでなく一般の人々にも、座っている手元に近い位置にあるので、必要なものが便利に活用できることと、更に、クランプのメイン支柱を長くして天板の内側に曲げて、奥に入れる形にしておくことにより、箱が机や食卓の内側に入って、邪魔にならないことを特徴とする、二個の変形クランプによる小物入れ器。
【手続補正書】
【提出日】平成30年8月27日(2018.8.27)
【手続補正１】
【補正対象書類名】実用新案登録請求の範囲
【補正対象項目名】全文
【補正方法】変更
【補正の内容】
【実用新案登録請求の範囲】
【請求項１】
クランプとは可動式のハンドルを回すだけでいろいろな対象物を簡単に固定できる器具であり、そのＬ型クランプを変形さした形で、Ｌ型の最上部の横板は対象物の面が多くあたるように平たくしておき、それを支える縦の中心となる支柱をメイン支柱として、その径の形状は長方形や楕円形であり、メイン支柱の上部より下へ２０ｃｍまでの位置に板状のアームを最上部の横板と同じ方向と長さに配置して、その板状のアームのメイン支柱側の形は支柱が入るように長方形や楕円形の穴を開けた形にして、支柱に入れ込んで上下するようにしておき、更に、もう一方の端はハンドル付きのネジの縦棒が入るように丸形の穴を開けておいて、穴の内部は凹部状のネジを切っておき、下部にハンドルを付けた凸型状のネジ棒を入れ込み、対象物に当たるネジの上部は丸や四角の当て材を付けておき、ハンドルを巻くことにより、ネジが上下して対象物を固定する器具であり、そのＬ型クランプを変形さした形であり、二個のＬ型クランプを並列させて、机、食卓の天板に取り付けておき、そのクランプのメイン支柱の上部より下へ１５〜２０ｃｍの位置に板状のアームがくる部分の下の支柱の形状は長方形や楕円形の形を９０度回転さした形で、Ｌ型クランプを取りつける机、食卓の天板に向かって平たい形状にしておき、長さを下へ長く伸ばしておいて、その平たい形状の支柱の前面に丸形、四〜八角形のビス、ボルト型の薄い厚みの頭型の突起物を一定間隔に数個付けておき、一方、二個のＬ型クランプのメイン支柱の間と同じ長さ、又は、大きい幅の長さにした箱を用意して、その箱の裏面の上部の両サイド、又は、裏面に横へ、１〜数個、縦に数重に、数個、上下の穴が互い違いになるように配置しておいた、鍵穴形状やひょうたん形状の穴をあけた器具を箱の裏面に取り付けたり、箱の裏面に開けておいたりしておくことにより、突起物が穴に入ることにより、少々の幅の違いやずれがあっても箱を取りつけることができて、その突起物を上下に数個付けておいたことにより、箱の高さを上下に調整することができて、箱の中へ薬瓶、ペットボトル、メガネ、スマートホンや筆記用具などを入れることができるので、高齢者や身体障碍者だけでなく一般の人々にも、座っている手元に近い位置にあるので、必要なものが便利に活用できることを特徴とする、二個の変形クランプによる小物入れ器。
【請求項２】
クランプとは可動式のハンドルを回すだけでいろいろな対象物を簡単に固定できる器具であり、そのＬ型クランプを変形さした形で、Ｌ型の最上部の横板は対象物の面が多くあたるように平たくしておき、それを支える縦の中心となる支柱をメイン支柱として、その径の形状は長方形や楕円形であり、メイン支柱の上部より下へ２０ｃｍまでの位置に板状のアームを最上部の横板と同じ方向と長さに配置して、その板状のアームのメイン支柱側の形は支柱が入るように長方形や楕円形の穴を開けた形にして、支柱に入れ込んで上下するようにしておき、更に、もう一方の端はハンドル付きのネジの縦棒が入るように丸形の穴を開けておいて、穴の内部は凹部状のネジを切っておき、下部にハンドルを付けた凸部状のネジ棒を入れ込み、対象物に当たるネジの上部は丸や四角の当て材を付けておき、ハンドルを巻くことにより、ネジが上下して対象物を固定する器具であり、そのＬ型クランプを変形さした形であり、二個のＬ型クランプを並列させて、机、食卓の天板に取り付けておき、そのＬ型クランプのメイン支柱の上部より下へ１５〜２０ｃｍの位置に板状のアームがくる部分の下の支柱の形状は長方形や楕円形の形を９０度回転させた形で、Ｌ型クランプを取りつける机、食卓の天板に向かって平たい形状にしておき、長さを下へ長く伸ばしておいて、その平たい形状の支柱の前面に丸形、四〜八角形のビス、ボルト型の薄い厚みの頭型の突起物を一定間隔に数個付けておき、一方、二個のＬ型クランプのメイン支柱の間と同じ長さ、又は、大きい幅の長さにした箱を用意して、その箱の裏面の上部の両サイド、又は、裏面に横へ、１〜数個、縦に数重に、数個、上下の穴が互い違いになるように配置しておいた、鍵穴形状やひょうたん形状の穴を開けた器具を箱の裏面に取り付けたり、箱の裏面に開けておいたりしておくことにより、突起物が穴に入ることにより、少々の幅の違いやずれがあっても箱を取りつけることができて、その突起物を上下に数個付けておいたことにより、箱の高さを上下に調整することができて、箱の中へ薬瓶、ペットボトル、メガネ、スマートホンや筆記用具などを入れることができるので、高齢者や身体障碍者だけでなく一般の人々にも、座っている手元に近い位置にあるので、必要なものが便利に活用できることと、更に、箱の上辺を波形にして、波形に下に穴を開けておくことにより、袋をかけたり、フック付きの箱や袋を掛けることができることを特徴とする、二個の変形クランプによる小物入れ器。
【請求項３】
クランプとは可動式のハンドルを回すだけでいろいろな対象物を簡単に固定できる器具であり、そのＬ型クランプを変形さした形で、Ｌ型の最上部の横板は対象物の面が多く当たるように平たくしておき、それを支える縦の中心となる支柱をメイン支柱として、その径の形状は長方形や楕円形であり、メイン支柱の上部より下へ２０ｃｍまでの位置に板状のアームを最上部の横板と同じ方向と長さに配置して、その板状のアームのメイン支柱側の形は支柱が入るように長方形や楕円形の穴を開けた形にして、支柱に入れ込んで上下するようにしておき、更に、もう一方の端はハンドル付きのネジの縦棒が入るように丸形の穴を開けておいて、穴の内部は凹部状のネジを切っておき、下部にハンドルを付けた凸部状のネジ棒を入れ込み、対象物に当たるネジの上部は丸や四角の当て材を付けておき、ハンドルを巻くことにより、ネジが上下して対象物を固定する器具であり、そのＬ型クランプを変形さした形であり、二個のＬ型クランプを並列させて、机、食卓の天板に取り付けておき、そのＬ型クランプのメイン支柱の上部より下へ１５〜２０ｃｍの位置に板状のアームがくる部分の下の支柱の形状は長方形や楕円形の形を９０度回転さした形で、Ｌ型クランプを取りつける机、食卓の天板に向かって平たい形状にしておき、長さを下へ長く伸ばしておいて、その平たい形状の支柱の前面に丸形、四〜八角形のビス、ボルト型の薄い厚みの頭型の突起物を一定間隔に数個付けておき、一方、二個のＬ型クランプのメイン支柱の間と同じ長さ、又は、大きい幅の長さにした箱を用意して、その箱の裏面の上部の両サイド、又は、裏面に横へ、１〜数個、縦に数重に、数個、上下の穴が互い違いになるように配置しておいた、鍵穴形状やひょうたん形状の穴をあけた器具を箱の裏面に取り付けたり、箱の裏面に開けておいたりしておくことにより、突起物が穴に入ることにより、少々の幅の違いやずれがあっても箱を取りつけることができて、その突起物を上下に数個付けておいたことにより、箱の高さを上下に調整することができて、箱の中へ薬瓶、ペットボトル、メガネ、スマートホンや筆記用具などを入れることができるので、高齢者や身体障碍者だけでなく一般の人々にも、座っている手元に近い位置にあるので、必要なものが便利に活用できることと、更に、Ｌ型クランプのメイン支柱を長くして天板の内側に曲げて、奥に入れる形にしておくことにより、箱が机や食卓の内側に入って、邪魔にならないことを特徴とする、二個の変形クランプによる小物入れ器。